(57)【要約】【課題】コンパクト性および内容物を保護する緩衝性に関して、従来よりも優れたブランク材を提供する。【解決手段】内容物５０の端部を保持する保持構造部２０ａを内側に有する保持壁２０を備えた包装箱を組み立てる１枚のブランク材。当該ブランク材は、組立後において、包装箱の保持壁２０を構成する保持壁フラップ２１を備える。保持壁フラップ２１の第１折返しロール部２５および第２折返しロール部２６は、それぞれ自由端２５ａ、２６ａに沿って接着領域を備えており、両折返しロール部２５、２６が包装箱内部側へと折り返されるとともに、互いの接着領域同士を接着させることで保持壁２０の保持構造部２０ａを構成する。保持構造部２０ａは、上記接着により連結された第１折返しロール部２５および第２折返しロール部２６に渡って延在する開口部４０に内容物５０の端部を保持する。【選択図】図３
2010179947.tif 000002
【特許請求の範囲】
【請求項１】
内容物（５０）の端部を保持する保持構造部（２０ａ、３０ａ）を内側に有する保持壁（２０、３０）を備えた包装箱（１０）を組み立てる１枚のブランク材であって、
当該ブランク材は、組立後において、包装箱（１０）の保持壁（２０、３０）を構成する保持壁フラップ（２１、３１）を備えており、
保持壁フラップ（２１、３１）は、包装箱の外壁を構成する外壁フラップ（２４、３４）と、当該外壁フラップの両サイドに対向して連設された第１折返しロール部（２５、３５）および第２折返しロール部（２６、３６）と、を備え、
第１折返しロール部（２５）および第２折返しロール部（２６）は、それぞれ自由端（２５ａ、２６ａ）に沿って接着領域（７０、８０）を備えており、両折返しロール部（２５、２６）が包装箱内部側へと折り返されるとともに、互いの接着領域（７０、８０）同士を接着させることで保持壁（２０、３０）の保持構造部（２０ａ、３０ａ）を構成しており、
保持構造部（２０ａ、３０ａ）は、上記接着により連結された第１折返しロール部（２５）および第２折返しロール部（２６）に渡って延在する開口部（４０）に内容物（５０）の端部を保持する、ことを特徴とするブランク材。
【請求項２】
上記第１折返しロール部（２５）および第２折返しロール部（２６）の接着領域（７０、８０）は、それぞれ、自由端（２５ａ、２６ａ）と区画折罫（ｂ２）に囲まれた領域に存在し、
第１折返しロール部（２５）および第２折返しロール部（２６）には、それぞれ、接着領域（７０、８０）内に存在する直線状の揺動折罫（７１、８１）と、当該揺動折罫の両端を結んで延在するスリット（７２、８２）と、で構成される揺動フラップ（７５、８５）が形成されていて、
両折返しロール部（２５、２６）の揺動フラップ（７５、８５）を外壁フラップ（２４）へ向かって押し込むことで、上記開口部（４０）が形成されており、
組立後において、揺動フラップ（７５、８５）は、揺動折罫（７１、８１）を中心として揺動可能に内容物（５０）の端部に当接することを特徴とする、請求項１記載のブランク材。
【発明の詳細な説明】
【技術分野】
【０００１】
本発明は、電気製品やその部品、その他を収容する包装箱に関する。さらに詳しくは、そのような包装箱として組み立てられるブランク材に関する。
【背景技術】
【０００２】
電気製品やその交換部品、その他多くの物品は、輸送に際して包装されるのが通常である。輸送時の衝撃から内容物を保護するために、包装箱の内表面と内容物の間には、緩衝材として、発泡スチロール材を詰めたり、紙を原料として内容物の形状に合わせて作られるパルプモールドを介在させることが行われている。
【０００３】
しかしながら、上記構成では、包装箱とその中に挿入する緩衝材とが別々に用意されるため、作業性、コスト面、あるいは廃棄時の環境問題という点で好ましくない。これらの問題を解決する１つの手段として、特許文献１が提案されている。
【０００４】
特許文献１に開示されたブランク材は、緩衝部材として機能するフラップ部を一体的に備えている。すなわち、１枚のブランク材でありながら、これを組み立てることで、外箱だけでなく、その内部に配置される緩衝要素も同時に組み上げられる。
【先行技術文献】
【特許文献】
【０００５】
【特許文献１】特開平８−２３０８６６号公報
【発明の概要】
【発明が解決しようとする課題】
【０００６】
本発明は、外箱および内部の緩衝要素を１枚のブランク材から組み立てるだけでなく、内容物の大きさに比べて外箱が過度に大きくならないようなコンパクト性、および内容物を保護する緩衝性に関して、従来のブランク材よりもさらに優れたものを提供することを目的としている。
【課題を解決するための手段】
【０００７】
本発明は、上記課題を有効に解決するために創案されたもので、以下の特徴を備えたブランク材を提供する。
【０００８】
本発明のブランク材は、内容物の端部を保持する保持構造部を内側に有する保持壁を備えた包装箱を組み立てる１枚のブランク材である。
当該ブランク材は、組立後において、包装箱の保持壁を構成する保持壁フラップを備える。
保持壁フラップは、「包装箱の外壁を構成する外壁フラップ」と「当該外壁フラップの両サイドに対向して連設された第１折返しロール部および第２折返しロール部」とを備える。
第１折返しロール部および第２折返しロール部は、それぞれ自由端に沿って接着領域を備えており、両折返しロール部が包装箱内部側へと折り返されるとともに、互いの接着領域同士を接着させることで保持壁の保持構造部を構成している。
保持構造部は、上記接着により連結された第１折返しロール部および第２折返しロール部に渡って延在する開口部に内容物の端部を保持する。
【発明の効果】
【０００９】
上記構成を備えた本発明のブランク材においては、第１折返しロール部および第２折返しロール部が、その自由端に沿う接着領域同士を互いに接着して連結され、これにより保持構造部が構成される。すなわち、保持構造部は、外壁フラップ上にブリッジを架けるように延在する。したがって、折り返された各ロール部を固定するために両者の間に隙間を設ける必要がないので、組立後における包装箱をコンパクトなものとできる。その結果、輸送コストを低減することが可能となる。
【００１０】
また、内容物の端部を保持する保持構造部が、弾性を有するブリッジ状に構成されるので、内容物を保護する高い緩衝性を与えることができる。
【００１１】
なお、本発明のブランク材において、上記第１折返しロール部および第２折返しロール部の接着領域は、それぞれ、自由端と区画折罫に囲まれた領域に存在していてもよい。
その場合、第１折返しロール部および第２折返しロール部に、それぞれ、「接着領域内に存在する直線状の揺動折罫」と「当該揺動折罫の両端を結んで延在するスリット」とで構成される揺動フラップを形成することが好ましい。
両折返しロール部の揺動フラップを外壁フラップへ向かって押し込むことで、上記開口部が形成され、組立後において、揺動フラップは、揺動折罫を中心として揺動可能に内容物の端部に当接する。
【００１２】
この場合には、揺動可能に内容物の端部に当接する揺動フラップの存在により、緩衝性をさらに高めることができる。
【図面の簡単な説明】
【００１３】
【図１】本発明の一実施形態に係るブランク材を示す展開図。
【図２】図１の状態から保持壁を組み上げた状態を示す斜視図。
【図３】保持壁を立てて、内容物を保持した状態を示す斜視図。
【図４】側壁を立てて、包装箱を組み上げる途中工程を示す斜視図。
【図５】組み上がった包装箱を示す斜視図。
【図６】ジッパ部を破断して開封した状態を示す斜視図。
【図７】保持壁の組上げ工程を説明する説明図。
【図８】保持壁の緩衝特性を説明する側方図。
【発明を実施するための形態】
【００１４】
本発明の実施形態を添付の図面を参照して以下に詳細に説明する。図１は、一実施形態に係るブランク材１１を示す展開図である。ブランク材１１は、代表的には段ボール紙で構成される１枚の平坦な部材であって、これを組み立てて包装箱１０（図５参照）を構成する。
詳しくは後述するが、組立後の包装箱１０は、対向する２つの保持壁２０、３０を備えていて、これらの内側にある保持構造部２０ａ、３０ａが内容物５０の端部を保持する（図３参照）。
【００１５】
≪ブランク材の構成：図１≫
ブランク材１１は、組立後の包装箱１０において底壁を構成する底壁ブランク部１５を備え、その両側に、折罫を介して保持壁フラップ２１、３１を備える。底壁ブランク部１５の上下には、それぞれ、折罫を介して側壁ブランク部１６、１７が形成されている。さらに、側壁ブランク部１６には、折罫を介して天壁ブランク部１８が連設されている。
天壁ブランク部１８は、組立後の包装箱１０において天壁を構成するもので、その３辺には、折罫を介して接着フラップ１８ａ、１８ｂ、１８ｃが連設されている。接着フラップ１８ａには、開封時に破断されるジッパ１９が形成されている。
【００１６】
底壁ブランク部１５の左右に連設された保持壁フラップ２１、３１は、それぞれ、組立後の包装箱１０において保持壁２０、３０を構成する（図２）。
保持壁フラップ２１は、「外壁フラップ２４」と「第１折返しロール部２５」と「第２折返しロール部２６」とで構成される。組立後の包装箱１０において、「外壁フラップ２４」は包装箱１０の外壁を構成する。また、「第１折返しロール部２５」および「第２折返しロール部２６」は、包装箱１０の内部において、両者が一体となって保持構造部２０ａを構成する。
保持壁フラップ３１も、上記と同様で、「外壁フラップ３４」と「第１折返しロール部３５」と「第２折返しロール部３６」とで構成され、これらが包装箱１０の外壁および保持構造部３０ａを構成する。
【００１７】
≪組立工程の概略：図２〜図５≫
まず、組立ての全体的な手順を概略的に説明する。
図１の展開図は、包装箱１０の内側に対応するブランク面を示している。図１の状態から、左右の保持壁フラップ２１、３１をそれぞれ組み上げて、保持壁２０、３０を構成する（その詳細は、後述する）。図２は、保持壁２０、３０が組み立てられた状態を示している。
【００１８】
次に、組み立てた保持壁２０、３０を起立させて、内容物５０を挟み込むように保持する（図３）。このとき、保持壁２０、３０の内側にある保持構造部２０ａ、３０ａが、開口部４０内に、内容物５０の端部を保持する。
そして、前後の側壁ブランク部１６、１７を立ち上げて、包装箱１０の側壁を構成する（図４）。最後に、天壁を閉じるとともに、三方の接着フラップ１８ａ、ｂ、ｃを接着して、包装が完了する（図５）。
【００１９】
≪保持壁２０、３０の組立て：図７≫
次に、保持壁２０、３０の組立手順を詳細に説明する。
図７（ａ）は、第１折返しロール部２５を拡大して示している。第１折返しロール部２５は、折罫ａを介して外壁フラップ２４に連設されており、図示の例では、自身も２つの折罫ｂ１、ｂ２を備えていて、コ字状に折り返すことができる。なお、折罫ｂ２（『区画折罫』）と、第１折返しロール部２５の自由端２５ａとで挟まれた領域は、後述する接着領域７０として利用する。
第２折返しロール部２６も同じ構成で、折罫ｂ１、ｂ２、自由端２５ａ、接着領域８０を有する。
【００２０】
図７（ｂ）に示したように、両折返しロール部２５、２６を、共に図中上方へコ字状に折り返して、両者の接着領域７０、８０同士を接着固定する。図７（ｃ）は、接着固定後の状態を示している。
接着固定された第１、２折返しロール部２５、２６が一体となって保持構造部２０ａを構成しており、両者に渡って延在する開口部４０が内容物の端部を保持する。
【００２１】
以上に、保持壁２０およびその内側の保持構造部２０ａの組立手順を説明したが、対向するもう一方の保持壁３０についても同様である。
図７（ｂ）、（ｃ）からよく分かるように、外壁フラップ２４の両サイドに設けられ、互いに近づくように上方に折り返された第１、第２折返しロール部２５、２６は、その先端同士（接着領域７０、８０）を重ねて接着・連結される。
【００２２】
この構成による緩衝効果を図８を参照して説明する。図８は、組上げ後の保持壁２０を模式的に説明する側方図面である。両折返しロール部２５、２６は、外壁フラップ２４上に弾性ブリッジを架けるように延在していて、矢印“Ａ”方向に弾性的に撓むことが可能である。この撓みにより、内容物５０に対する優れた緩衝性が得られる。
【００２３】
また、両折返しロール部２５、２６の先端領域（接着領域７０、８０）が外壁フラップ２４には連結されないので、組立後の包装箱１０をコンパクトにできるというメリットもある。
すなわち、図８において、仮に接着領域７０、８０を外壁フラップ２４に対して接着固定する構成を採用した場合、接着作業の関係から、接着領域７０と８０の間に隙間を設ける必要があり、そのため、外壁フラップの全幅寸法“Ｗ”が大きくなってしまい、包装箱１０のサイズアップに繋がる。本発明では、そのような隙間を設けていないので、包装箱１０をコンパクトにすることができ、輸送コストを低減できる等のメリットが得られる。
【００２４】
≪揺動フラップ７５、８５による緩衝特性≫
図７（ａ）に示すように、第１折返しロール部２５の接着領域７０内に、直線状の揺動折罫７１を形成していて、この揺動折罫７１の両端を結ぶ湾曲したスリット７２を設けることで、揺動フラップ７５を形成している。第２折返しロール部２６の接着領域８０内にも、同様に、揺動折罫８１、スリット８２、揺動フラップ８５を設けている。
組立工程において、揺動フラップ７５、８５を外壁フラップ２４へ向かって押し込むことで、開口部４０が形成される（図７ｃ）。
【００２５】
図７（ｃ）から分かるように、組立後において、揺動フラップ７５、８５は、揺動折罫７１、８１を中心として揺動可能な状態で内容物５０の端部に当接する。これによって、緩衝特性がさらに高められ、包装対象である内容物を輸送中の衝撃から有効に保護することができる。
【００２６】
≪リクローズ性：図６≫
包装箱１０は、図６に示したように、ジッパ部１９を破断して開封することができる。開封時には、保持壁２０が下方に回動して、内容物を引き出すことができる（図６では、内容物の図示は省略している）。
廃棄時等には、内容物を包装箱１０内に再度収容した上で、保持壁２０を上方に回動させて、再度封止することができる。
【符号の説明】
【００２７】
１０  包装箱
１１  ブランク材
１５  底壁ブランク部
１６、１７  側壁ブランク部
１８  天壁ブランク部
１８ａ、ｂ、ｃ  接着フラップ
１９  ジッパ
２０、３０  保持壁
２０ａ、３０ａ  
２１、３１  保持壁フラップ
２４、３４  外壁フラップ
２５、３５  第１折返しロール部
２６、３６  第２折返しロール部
４０  開口部
７０、８０  接着領域
７１、８１  揺動折罫
７２、８２  スリット
７５、８５  揺動フラップ
【図１】
2010179947.tif 000003
【図２】
2010179947.tif 000004
【図３】
2010179947.tif 000005
【図４】
2010179947.tif 000006
【図５】
2010179947.tif 000007
【図６】
2010179947.tif 000008
【図７】
2010179947.tif 000009
【図８】
2010179947.tif 000010